(57)【要約】      （修正有）【課題】  広告情報を得られるとともに利用料金の負担を軽減されるという効果が得られるようにする。【解決手段】  コピーシステムは、小型記憶媒体や電子機器の利用者がアクセス権限を持っているかどうかを検証する手段と、上記電子機器とネットワーク接続されたサーバ上に、広告主が欲しいユーザの個人情報と、その情報の入手と引き換えにユーザの利用料金の一部を負担する際の各情報毎の負担率と、提供する広告情報を登録する手段と、上記広告主が欲しいユーザの個人情報を表示機上に表示する手段と、上記表示された広告主が欲しいユーザの個人情報群から、開示しても良い個人情報項目を選択する手段と、上記選択した個人情報項目を上記小型記憶媒体手段や携帯電子機器から読み出す手段等と、上記開示しても良い個人情報項目と上記登録されている各情報毎の広告主の負担率情報群から広告主が負担する利用料金を算出／請求する手段と、を有することを特徴とする。【選択図】        図１
2006245954.tif 000002
【特許請求の範囲】
【請求項１】
表示機能と通信機能と原稿読み取り機能と印刷機能を備えるコピーシステムであって、
ネットワークを介してしてデータ通信する手段と、
ＩＣカードやメモリカード等の小型記憶媒体や携帯電話や電子手帳等の携帯電子機器とのデータアクセス手段と、
上記小型記憶媒体や携帯電子機器の利用者がアクセス権限を持っているかどうかを検証する手段と、
上記電子機器とネットワーク接続されたサーバ上に、広告主が欲しいユーザの個人情報と、その情報の入手と引き換えにユーザの利用料金の一部を負担する際の各情報毎の負担率と、提供する広告情報を登録する手段と、
上記広告主が欲しいユーザの個人情報を表示機上に表示する手段と、
上記表示された広告主が欲しいユーザの個人情報群から、開示しても良い個人情報項目を選択する手段と、
上記選択した個人情報項目を上記小型記憶媒体手段や携帯電子機器から読み出す手段と、
上記選択した個人情報項目が上記小型記憶媒体手段や携帯電子機器上に存在しない場合、それを入力する手段と、
上記入力した追加個人情報を上記小型記憶媒体手段や携帯電子機器上に格納する手段と、
上記開示しても良い個人情報項目と上記登録されている各情報毎の広告主の負担率情報群から広告主が負担する利用料金を算出する手段と、
上記算出された負担割合に従ってそれぞれに利用料金を請求する手段と、
を有することを特徴とするコピーシステム。
【発明の詳細な説明】
【技術分野】
【０００１】
本発明は、コンビニや公共の施設に設置されたコピーの使用料金の支払いに際して、利用者の個人情報を広告主に提供する替わりに、広告情報を利用者に提供するとともに利用料金の一部を広告主が負担することにより利用者本人の負担を軽減する機能を備えたコピーシステムに関するものである。
【背景技術】
【０００２】
例えば、ＩＣカード上の個人情報を読み取り、その情報に見合った広告情報を提供する替わりに、ユーザの利用料金の一部を広告提供者側が負担する技術は公知であるが（例えば、特許文献１参照。）、この発明においては、他の機器で登録したＩＣカード上のユーザＩＤやパスワード、電話番号等のユーザ情報を読み込んで広告提供者に送信し、その代わりに広告を表示または印刷するとともに利用料金の一部を広告提供者が負担するというもので、広告提供者に知られたくない個人情報にフィルタをかけることができなかったり、広告提供者が求めている個人情報を新たに入力してＩＣカード上に登録し、次回の利用に利用することができないなどの問題点があった。
【特許文献１】特開２０００−３５７０７１号公報
【発明の開示】
【発明が解決しようとする課題】
【０００３】
本発明が解決しようとする課題は、上記のような問題点を解決するとともに、情報交換により消費活動を活発化させることである。
【０００４】
また、電子政府／電子自治体における統合行政サービスを実現するために、国民の識別機能やデジタル著名等の機能を備えた多機能ＩＣカードの普及が予想されているが、この標準化されることが予想される多機能ＩＣカードのユーザエリアに各種ユーザ情報を記録し、コンビニコピー利用するユーザと広告主の双方のニーズのマッチングに利用して、双方にメリットのあるサービスを提供することも本発明の課題である。
【課題を解決するための手段】
【０００５】
本発明によるコピーは、上記の課題を解決するための手段として、少なくとも以下の構成を備える。
１．ネットワークに接続してデータ通信する手段。
２．ＩＣカードやメモリカード等の小型記憶媒体とのデータアクセス手段。
３．広告提供者が広告情報と入手したい個人情報群を登録する手段。
４．広告提供者が欲しい個人情報群を表示する手段。
５．４の手段によって表示されている個人情報群から情報提供してもよい項目を選択する手段。
６．５によって選択された個人情報群のなかに、２の手段によってＩＣカードから読み込んだ個人情報群中にない情報がある場合、その個人情報の入力を要求する手段。
７．６で要求された情報を入力する手段。
８．７で入力された情報をＩＣカード上に格納する手段。
９．４〜７の操作で決定した提供可能な個人情報の内容に応じて広告提供者側が負担する利用料金を決定する手段。
１０．９によって決定された負担額をユーザと広告提供者に請求する手段。
１１．利用料金の一部を負担する広告提供者に、要求している個人情報を送信する手段。
１２．広告提供者が登録している広告情報を、開示している個人情報に応じて、メール送信、または広告印刷を行う手段。
【０００６】
なお、さらに詳細に説明すれば、本発明は下記の構成によって上記課題を解決できた。
【０００７】
（１）表示機能と通信機能と原稿読み取り機能と印刷機能を備えるコピーシステムであって、
ネットワークを介してしてデータ通信する手段と、
ＩＣカードやメモリカード等の小型記憶媒体や携帯電話や電子手帳等の携帯電子機器とのデータアクセス手段と、
上記小型記憶媒体や携帯電子機器の利用者がアクセス権限を持っているかどうかを検証する手段と、
上記電子機器とネットワーク接続されたサーバ上に、広告主が欲しいユーザの個人情報と、その情報の入手と引き換えにユーザの利用料金の一部を負担する際の各情報毎の負担率と、提供する広告情報を登録する手段と、
上記広告主が欲しいユーザの個人情報を表示機上に表示する手段と、
上記表示された広告主が欲しいユーザの個人情報群から、開示しても良い個人情報項目を選択する手段と、
上記選択した個人情報項目を上記小型記憶媒体手段や携帯電子機器から読み出す手段と、
上記選択した個人情報項目が上記小型記憶媒体手段や携帯電子機器上に存在しない場合、それを入力する手段と、
上記入力した追加個人情報を上記小型記憶媒体手段や携帯電子機器上に格納する手段と、
上記開示しても良い個人情報項目と上記登録されている各情報毎の広告主の負担率情報群から広告主が負担する利用料金を算出する手段と、
上記算出された負担割合に従ってそれぞれに利用料金を請求する手段と、
を有することを特徴とするコピーシステム。
【発明の効果】
【０００８】
本発明の実施例の説明に示したように、本発明によると、コピー利用者は差し支えない個人情報のみを提供することにより、有益な広告情報を得るとともに利用料金の負担を軽減される効果が得られ、広告主は広告効果の高い広告手段を得ることができ、コピーを設置しているコンビニはユーザの利用料金軽減による利用者数増加のメリットが得られる。また、コピーの販売側としても消耗品の売上増加効果が得られる効果が得られる。
【発明を実施するための最良の形態】
【０００９】
以下、本発明の実施例の図面を参照して詳細に説明する。
【００１０】
図１は、本発明の一実施例を示す印刷システムの構成を説明するブロック図であり、コピーシステム３は、インターフェイス１０、入力制御部１００、スキャナ装置１１１、タッチパネルキーボード１１２、ＩＣカード読み取り装置１１３、キャッシング装置、印刷制御部３００、印刷装置本体３０７等で構成されている。また、入力制御部１００と印刷制御部３００とは内部接続ケーブル２００を介して接続されている。
【００１１】
コピーシステム上のインターフェイス１０は、ネットワーク接続装置２と公衆回線を介してユーザ＆広告主マッチングステーション１とデータアクセスすることにより、ユーザ情報の送信、広告情報や課金情報の受信、また、金融機関と接続してキャッシング処理を行う。
【００１２】
図において、１０１は通信コントローラで、インターフェイス１０を介して各種データの受信、送信等の制御を行う。
【００１３】
１０２はマイクロプロセッサ形態の中央処理装置（ＣＰＵ）であり、例えば図示しないクロックパルス発生回路、遅延回路、ゲート回路、その他の論理回路などを有する順序回路等から構成される。
【００１４】
１０３は、ＯＳ（オペレーティングシステム）や各種制御ソフト等が内蔵された読み出し専用メモリ（ＲＯＭ）で、ＣＰＵが各部に制御信号を供給する際に、制御信号をＣＰＵに順次知らせるためのマイクロ命令群が記憶されている。
【００１５】
１０４は読み書き可能なランダムアクセスメモリ（ＲＡＭ）であり、各装置の動作状況を記憶する領域を有するとともに、ネットワーク接続装置を介して送信されてきたデータを格納する記憶領域を有する。
【００１６】
１０５〜１０９は、それぞれスキャナコントローラ、タッチパネルキーボードコントローラ、ＩＣカード読み取り装置コントローラ、キャッシング装置コントローラ、プリンタコントローラであり、各装置の制御を行う。
【００１７】
１１０はバスラインで、ＣＰＵ１０２、ＲＯＭ１０３、ＲＡＭ１０４、および１０５〜１０９の各種コントローラを電気的に接続し、メモリアドレスやデータを転送する。
【００１８】
３０１は、印刷制御部側のＣＰＵであり、上記１０２のＣＰＵと同様の構成と機能を備えている。
【００１９】
３０２は、読み書き可能なランダムアクセスメモリ（ＲＡＭ）であり、各装置の動作状況や後述のページメモリ上に展開された印刷ビットマップイメージデータを記憶する領域を有する。
【００２０】
３０３は、読み出し専用メモリ（ＲＯＭ）で、ＣＰＵが各部に印刷制御信号を供給する際に、その制御信号をＣＰＵに順次知らせるためのマイクロ命令群が記憶されている。
【００２１】
３０４は、入力バッファであり、上記プリンタコントローラから送信されてきた印刷データを格納する記憶装置である。
【００２２】
３０５は、印刷ビットマップイメージを格納するページメモリであり、作成された印刷ビットマップイメージはエンジンインターフェイス３０６を介して印刷部本体３０７に転送される。
【００２３】
図２１は、本発明を適用可能な出力装置を示す断面図であり、例えばカラーレーザビームプリンタ（カラーＬＢＰ）の場合を示す。
【００２４】
図において、７４０はＬＢＰ本体であり、外部に接続されているホストコンピュータから供給される印刷情報（文字コード等）を入力して記憶するとともに、それらの情報にしたがって対応する文字パターンやグラフィックパターン等を作成し、記録媒体である印刷用紙等に像を形成する。７００はＬＣＤやキーボードが配されている操作パネルで、図１上の９に対応する。７０１はプリンタの制御ユニット（図１の１〜７に示した印刷制御装置に対応する）で、ＬＢＰ本体７４０全体の制御およびホストコンピュータから供給される文字情報等を解析する。このプリンタ制御ユニット７０１は、主に文字情報に対応する文字パターンのビデオ信号に変換してレーザドライバ７０２に出力する。
【００２５】
レーザドライバ７０２は半導体レーザ７０３を駆動するための回路であり、入力されたビデオ信号に応じて半導体レーザ７０３から発射されるレーザ光７０４をオン・オフ切り替えする。レーザ光７０４は回転多面鏡７０５で左右方向に振らされて静電ドラム７０６上を走査露光する。これにより、静電ドラム７０６上には文字パターンの静電潜像が形成されることになる。この潜像は、静電ドラム７０６周囲に配置された現像ユニット７０７により現像された後、記録紙に転写される。この記録紙にはカットシートを用い、カットシート記録紙はＬＢＰ本体７４０に装着した用紙カセット７０８に収納され、給紙ローラ７０９より搬送ローラ７１０と搬送ローラ７１１とにより、装置内に取り込まれて、静電ドラム７０６に供給される。そして、現像器７０７によって静電ドラム７０６上に付着されたトナー像は、搬送されてきた記録紙に転写される。その後、記録紙は定着器７１２方向に搬送され、トナーが定着され、最終的に排紙ローラ７１３によって外部に導かれて外部に排紙される。なお、上記現像器７０７や静電ドラム７０６等は例えばＣ（シアン）Ｍ（マゼンダ）Ｙ（イエロウ）Ｋ（ブラック）の色素ごとに処理を行ないカラー印刷が可能となるように構成されている。
【実施例】
【００２６】
以下、本発明の一実施例として、「神奈川県川崎市中原区今井上町７７在住、川崎市内の県立高校勤務の４０歳男性教諭」という行政用ＩＤ情報をもち、ユーザエリアに趣味としてゴルフ、登山、テニス、将棋を登録しているユーザが、コンビニコピーを利用する場合の利用料金を支払う際の手順について、図１〜図１９の参照図面と図２０のフローチャートを参照して説明する。
【００２７】
まず、図１に示されるコピーシステムにおいて電源を入れると、図２０のフローチャート上のステップＳ１において、内部状態の初期化を行った後、ステップＳ２に移行し図１のキャッシング装置１１４の状態をチェックし、利用料金引き落とし可能となっているかどうかチェックするとともに、１１３のＩＣカード読み取り装置をチェックし、挿入されているＩＣカードのユーザ認証等のセキュリティチェックを行う（ユーザ認証は本発明の要旨と直接関連しないので、本明細書中ではこれ以上説明しない）。
【００２８】
キャッシング装置１１４は、ユーザの利用料金支払いの受け付けを行う装置で、コインや紙幣などの現金の投入の他に、プリペイド・カードによるキャッシングや、１１３のＩＣカー読取装置、ネットワーク接続装置と連携した銀行口座からの即時決済など、様々な料金支払い形態をサポートできる機能を備えているものとするが、詳細は本発明の要旨と直接関連しないので、本明細書中では説明しない。
【００２９】
そして、上記のチェックがパスするとステップＳ３に移行し、図６に示す初期メニューをタッチパネルキーボード上に表示して割引コピー利用サービスを利用するかどうかの選択が行なわれるまで待機する。
【００３０】
ここで、タッチパネルキーボード上の“いいえ”表示部分をタッチすると、広告付割引モードが選択されないので、ステップＳ４，Ｓ１１と移行する。そして、図７に示すようなコピーメニュー表示を行なわれるので、所望のコピーパラメータを選択して「開始」ボタン表示をタッチすることによりステップＳ１２に移行するが、広告付割引モードではないのでステップＳ１４に移行してコピーが実行され、ここでは詳細は説明しないが、ユーザが選択した料金支払い形態によって利用料金の支払いが行われる。
【００３１】
一方、図６において“はい”表示部分がタッチされると、割引コピー利用サービスモードが選択されるので、ステップＳ４、Ｓ５と移行し図８に示すメニュ画面が表示される。ここでは、広告主がユーザに開示を求める情報の選択ボタン群が下段に表示され、これらの要求開示情報を知らせていただけるとコピー利用料金が割り引かれるという旨のメッセージが表示される。そこで、開示できるユーザ情報項目をタッチパネル上でタッチして選択する。図８の表示例では性別、年齢、職業が選択されている状態が表示されている。
【００３２】
そして、確認ボタン表示をタッチすると、ステップＳ５からステップＳ８に移行し図９に示されるように開示されるユーザ情報の表示が行われる。ここで編集ボタン表示を選択するとステップＳ８からステップＳ９に移行して図１０に示す編集モードの表示が行われ、編集個所をタッチした後、下段表示のキーボード表示からキー入力を行ってＩＣカードから呼び出された登録情報を編集することができる。そして、ここでは何も変更せずに終了ボタン表示をタッチすることによりステップＳ５に移行するので図９に示される表示が再び行われる。
【００３３】
図９において、選択ボタン表示をタッチすると、ステップＳ５からステップＳ６に移行し、ここで選択されているユーザ情報項目はすべて登録されているかどうかチェックされるが、本実施例ではすべてＩＣカード上に登録されているのでステップＳ１０に移行する。
【００３４】
図３に示される本発明のシステム構成図において、３２のコンビニコピー＋カードリーダで読み込まれ、コピー上のメニュー画面上で選択されたＩＣカード上のユーザの個人情報が図３の３１のユーザ＆広告主マッチングステーションに送信されと、４７のユーザ開示情報受信／送信手段によって受信されて図示されていない記憶装置上に格納される。
【００３５】
ユーザ＆広告主マッチングステーションにおいて、３３の広告主端末から送信されてきた広告主や広告内容の情報、広告主が取得したいユーザ情報、コピーの利用料金のうち各情報取得に対して広告主が負担する割合情報が、４５の広告／広告主情報登録手段によって受信され、４１，４２の各情報データベース（以後データベース＝ＤＢと略す）に登録されている。また、４４のコンビニコピー情報登録手段によってコンビニコピー＋カードリーダ情報がユーザ＆広告主マッチングステーション上の４０のコンビニコピー情報ＤＢ上に登録されている。これらのＤＢ構築、検索等の技術は既存の技術を利用するものとし、詳細な説明は省略する。
【００３６】
そこで、ステップＳ１０において、受信格納されている上記ユーザの個人情報から図３の４２の利用料金負担算出用情報ＤＢ上の情報群を検索し、各開示情報に対して割り当てられている各広告主の負担割合を算出し、ユーザの負担割合を決定して図１１に示されるような表示を行う。ここで、戻るボタン表示をタッチするとステップＳ１０からステップＳ５に移行して再び図９に示される表示が行われる。そして、下段のメールアドレスボタン表示をタッチして選択ボタン表示をタッチするとステップＳ５からステップＳ６に移行し、ここで選択された項目はすべて登録されているかどうかチェックされるが、メールアドレスが未登録であるのでステップＳ７に移行して、図１２に示されるメールアドレス情報の入力を要求する表示が行われるので、下段のキーボード表示をタッチして図１３に示されるようにメールアドレスを入力した後、保存ボタン表示をタッチすると追加されたメールアドレス情報が、他のユーザ個人情報とともにＩＣカード上に格納されるので、ＩＣカード上のユーザエリアが図５に示されるよう変更される。
【００３７】
その後、終了ボタン表示をタッチすると、ステップＳ５に移行して図１４に示される表示が行われる。そして、選択ボタン表示をタッチすると、ステップＳ６に移行しここで選択されたユーザ情報項目はすべて登録されているかどうかチェックされるが、登録済みであるのでステップＳ１０に移行して、上記と同様の処理が行われ、図１５に示されるユーザの利用料金負担割合が表示される。
【００３８】
次に、戻るボタン表示をタッチするとステップＳ８に移行し図１４に示す表示が行われる。そして、「現在欲しいもの」ボタン表示をタッチして選択ボタン表示をタッチすると、上記と同様の処理が行われ、ステップＳ８、ステップＳ６、ステップＳ７と移行し、図１６にしめされる表示が行われる。そこで、図１６、図１７に表示されているようにプルダウンメニューから、車と壁掛けテレビを選択した後終了ボタン表示をタッチすると、ステップＳ８に移行して図１８に示す表示を行うので、選択ボタン表示をタッチするとステップＳ８からステップＳ１０に移行して図１９の表示を行う。そこで、ＯＫボタン表示をタッチするとステップＳ１１に移行し図７に示す表示を行い、コピーパラメータ設定および開始ボタン選択待機状態となるので、開始ボタン表示をタッチすると、ステップＳ１２に移行して広告付割引モードかどうか判定するが、広告付割引モードが選択されているのでステップＳ１３に移行する。
【００３９】
そして、本実施例ではメールアドレスが選択、登録されているので図３の４１の広告／広告主情報ＤＢ上に登録されている広告情報を指定されているメールアドレス宛に送信したのち、ステップＳ１４に移行しコピーを実行したのち、図１９に示されるように５０％割り引かれた利用料金を利用者に請求し、残りの５０％を各広告主に、計算した負担率割合いに応じて請求し、キャッシング処理が行われた後、利用者、各広告主への課金情報が図３の４３の課金ログ情報ＤＢ上に格納される。
【００４０】
なお、メールアドレスや住所、氏名が開示されていない場合、ステップＳ１３においてユーザ広告主マッチングステーション内の広告／広告主情報ＤＢに格納されている広告イメージが読み出され、ステップＳ１４においてコピー印刷する際にそれが印刷される。
【図面の簡単な説明】
【００４１】
【図１】本発明の一実施形態を示すコピーシステム本体の構成を説明するブロック図である。
【図２】本発明によるコピーシステム上の各種処理プログラムを格納する記憶媒体のメモリマップを説明する図である。
【図３】本発明の一実施形態を示すコピーシステム全体の構成を説明するブロック図である。
【図４】ＩＣカード内に格納されているユーザプロフィールデータの例を示す図である。
【図５】ＩＣカード内に格納されているユーザプロフィールデータの例を示す図である。
【図６】本発明の実施例のコピーシステム上のタッチパネル表示装置上の表示例を示す図である。
【図７】本発明の実施例のコピーシステム上のタッチパネル表示装置上の表示例を示す図である。
【図８】本発明の実施例のコピーシステム上のタッチパネル表示装置上の表示例を示す図である。
【図９】本発明の実施例のコピーシステム上のタッチパネル表示装置上の表示例を示す図である。
【図１０】本発明の実施例のコピーシステム上のタッチパネル表示装置上の表示例を示す図である。
【図１１】本発明の実施例のコピーシステム上のタッチパネル表示装置上の表示例を示す図である。
【図１２】本発明の実施例のコピーシステム上のタッチパネル表示装置上の表示例を示す図である。
【図１３】本発明の実施例のコピーシステム上のタッチパネル表示装置上の表示例を示す図である。
【図１４】本発明の実施例のコピーシステム上のタッチパネル表示装置上の表示例を示す図である。
【図１５】本発明の実施例のコピーシステム上のタッチパネル表示装置上の表示例を示す図である。
【図１６】本発明の実施例のコピーシステム上のタッチパネル表示装置上の表示例を示す図である。
【図１７】本発明の実施例のコピーシステム上のタッチパネル表示装置上の表示例を示す図である。
【図１８】本発明の実施例のコピーシステム上のタッチパネル表示装置上の表示例を示す図である。
【図１９】本発明の実施例のコピーシステム上のタッチパネル表示装置上の表示例を示す図である。
【図２０】本実施の形態に係るコピーシステムの動作の流れを説明するフローチャートである。
【図２１】図１に示すコピーシステムにおける印刷装置本体の縦断面図である。
【符号の説明】
【００４２】
１０１  通信制御コントローラ
１０２  ＣＰＵ
１０３  ＯＳ／各種制御ソフト内臓ＲＯＭ
１０４  ＲＡＭ
１０５  スキャナコントローラ
１０６  タッチパネルキーボードコントローラ
１０７  ＩＣカード読み込み装置コントローラ
１０８  キャッシング装置コントローラ
１０９  プリンタコントローラ
１１０  入力制御部システムバス
１１１  スキャナ装置
１１２  タッチパネルキーボード
１１３  カード読み取り書き込み装置
１１４  キャッシング装置
２００  内部接続ケーブル
３０１  ＣＰＵ
３０２  ＲＡＭ
３０３  プログラムＲＯＭ
３０４  入力バッファ
３０５  ページメモリ
３０６  エンジンインターフェイス
３０７  印刷装置本体
３１０  印刷制御部システムバス
【図１】
2006245954.tif 000003
【図２】
2006245954.tif 000004
【図３】
2006245954.tif 000005
【図４】
2006245954.tif 000006
【図５】
2006245954.tif 000007
【図６】
2006245954.tif 000008
【図７】
2006245954.tif 000009
【図８】
2006245954.tif 000010
【図９】
2006245954.tif 000011
【図１０】
2006245954.tif 000012
【図１１】
2006245954.tif 000013
【図１２】
2006245954.tif 000014
【図１３】
2006245954.tif 000015
【図１４】
2006245954.tif 000016
【図１５】
2006245954.tif 000017
【図１６】
2006245954.tif 000018
【図１７】
2006245954.tif 000019
【図１８】
2006245954.tif 000020
【図１９】
2006245954.tif 000021
【図２０】
2006245954.tif 000022
【図２１】
2006245954.tif 000023